(57)【要約】  本発明は水槽がない構造を適用することによって、便器本体の内部を快適な状態に維持しながらも用水の消費を減らすと共に、騒音発生が低減された水槽がない超節水及び騒音低減型洋式便器に関するものである。本発明に係る水槽がない超節水及び騒音低減型洋式便器は、内部に溜水空間部が形成され、前記溜水空間部の上側内周囲に沿って洗浄流路が形成された便器本体と、前記便器本体の上側に回動可能に設置されたシートと、前記溜水空間部の下側に垂直方向に設置された排水構造体と、前記排水構造体の内部に配置されて、前記溜水空間部の下段側に疎通が可能に連結され、下段に排出口が形成された排水連結管と、前記排水連結管の排出口を開閉する栓を有する開閉ユニットと、前記シート側に設置されて洋式便器の使用状態を感知する感知部と、前記便器本体の上面一側に設置された汚水排出スイッチと、前記溜水空間部の洗浄流路側に直接接続された洗浄給水管と、前記洗浄給水管の途中に設置された給水バルブ、及び前記感知部、汚水排出スイッチ、給水バルブ、開閉ユニットが電気的に接続される制御ユニットとを含むことを特徴とするものである。【選択図】図１
2015505345.tif 000002
【特許請求の範囲】
【請求項１】
内部に溜水空間部が形成され、前記溜水空間部の上側内周囲に沿って洗浄流路が形成された便器本体；
前記便器本体の上側に回動可能に設置されたシート；
前記溜水空間部の下側に垂直方向に設置された排水構造体；
前記排水構造体の内部に配置されて、前記溜水空間部の下段側に垂直方向に疎通可能に連結され、下段に排出口が形成された排水連結管；
前記排水連結管の排出口を開閉する栓を有する開閉ユニット；
前記シート側に設置されて洋式便器の使用状態を感知する感知部；
前記便器本体の上面一側に設置された汚水排出スイッチ；
前記溜水空間部の洗浄流路側に直接接続された洗浄給水管；
前記洗浄給水管の途中に設置されて、電子式開閉バルブで構成される給水バルブ；及び
前記感知部、汚水排出スイッチ、給水バルブ、開閉ユニットが電気的に接続される制御ユニット；を含むことを特徴とする水槽がない超節水及び騒音低減型洋式便器。
【請求項２】
前記感知部は、自動感知センサー又は手動スイッチのいずれか１つを選択することを特徴とする請求項１に記載の水槽がない超節水及び騒音低減型洋式便器。
【請求項３】
前記開閉ユニットは、前記排水連結管の排出口を開閉する栓及び前記栓を駆動させるソレノイドを含み、
前記栓は、ヒンジ部材を介して、前記排水連結管の一側にピボット可能に設置されることと、
前記栓の一側にはヒンジ部材が固定されて、前記ヒンジ部材は排水連結管の一側にヒンジピンによりピボット可能にヒンジ結合されることによって、前記栓とヒンジ部材は、前記ヒンジピンを中心にピボット作動することを特徴とする請求項１に記載の水槽がない超節水及び騒音低減型洋式便器。
【請求項４】
前記ソレノイドは、栓の外側面とこれに隣接した排水構造体の内壁面の間に設置されて、栓を前記排水連結管の排出口側に偏向させるように偏向力を付与する偏向スプリング、及び前記栓を外側にピボット作動するように一側方向に押し出すことを特徴とする請求項３に記載の水槽がない超節水及び騒音低減型洋式便器。
【請求項５】
前記ソレノイドは、前記ヒンジ部材に隣接した排水連結管の一側に設置されて、前記ソレノイドは電源が印加されるに従って前／後進するプランジャーがヒンジ部材を外側に押し出すことで、ヒンジ部材及び栓を排水連結管の排出口から外側にピボット作動させるように構成されることを特徴とする請求項４に記載の水槽がない超節水及び騒音低減型洋式便器。
【請求項６】
前記偏向スプリングは、コイル部及びコイル部の両側から延長された一組のスプリング・レッグを有するねじりスプリングで構成されたことを特徴とする請求項４に記載の水槽がない超節水及び騒音低減型洋式便器。
【請求項７】
前記排水構造体の一側には、固定軸が設置されて、前記コイル部は、排水構造体の固定軸上に挟まれ、一側スプリング・レッグは、前記栓の外側面に支持されて、他側スプリング・レッグは、隣接した排水構造体の内壁面側に支持されることを特徴とする請求項１又は６のいずれか一項に記載の水槽がない超節水及び騒音低減型洋式便器。
【請求項８】
前記排水構造体の下段には２次臭気逆流防止装置が設置されて、前記２次臭気逆流防止装置により浄化槽から発生する臭い又は異物が流入することを互いに相殺することを特徴とする請求項１に記載の水槽がない超節水及び騒音低減型洋式便器。
【発明の詳細な説明】
【技術分野】
【０００１】
本発明は、洋式便器に関するものであって、より詳細には、水槽がない構造を適用することによって、便器本体の内部を快適な状態に維持しながらも用水の消費を減らすと共に、騒音発生が低減された水槽がない超節水及び騒音低減型洋式便器に関するものである。
【背景技術】
【０００２】
洋式便器とは、座って大小便をするための西洋式便器であって、このような洋式便器は、小便及び大便を水圧により浄化槽に排出するように構成され、家庭や業務用建物などのトイレ内に設置されている。
【０００３】
一般的な水洗式洋式便器は、便器の内部に一定量の水を溜水していて、洋式便器後方側の水槽から給水が行われると、その水圧の差によるサイフォン原理により便器内部の排泄物を瞬間的に吸入して排出させる方式で水洗するもので、便器本体及び水槽で構成される。
【０００４】
便器本体の内部には、溜水空間部が上方に向かって開放して形成されて、溜水空間部の下段側にはサイフォン・トラップが形成され、溜水空間部の上段内側周囲に沿って洗浄流路が形成されている。洗浄流路には、複数の洗浄噴出口が形成され、この洗浄噴出口を通して用水が噴出して便器本体の溜水空間部を洗浄するように構成される。
【０００５】
水槽の下段に便器本体と疎通する給水孔が形成され、この給水孔には栓が開閉可能に設置される。そして、水槽内の一側には浮き玉が付いたボールタップが具備され、水槽の給水及びその量を調節できるようになっている。また、栓は、連結チェーンを通して水槽の外部に装着された作動レバーと連結され、作動レバーの回転操作によって給水孔の開放がなされるようになっている。
【０００６】
しかし、従来の洋式便器は、水槽内の多量の水を便器本体側に急速に流して、この際に発生する水圧により便器本体の内部に溜まっている用便混じりの汚水の水洗が行われることで、一度の水洗時ごとに多量の水が消費（およそ８〜１８Ｌ）されることによって、結局、水の浪費を招く問題点があった。
【０００７】
また、従来の洋式便器は、用便が混じった汚水が屈曲をなすサイフォン・トラップを水圧により急速に通過して排出されるように構成されていることで、水洗に係る騒音発生が大きく、前記サイフォン・トラップがしばしば汚物（トイレットペーパ）によって詰まる現象が発生する場合があり、この場合、その機能が低下して洋式便器の使用自体が不可能になったり、又はサイフォン・トラップを通して排出される汚物が所定量逆流し、溜水空間部に不潔な（用便が混ざった）用水が残留する場合もあった。このような場合には、再び水洗を施行することになり、結局より多量の水を消費するようになる場合が発生して水の浪費が増幅される問題が提起された。
【０００８】
また、従来には、便器本体の内部にサイフォン・トラップの形成のために、複雑な金型を製作し、この金型に合わせて陶器などの材質で便器本体を製作しなければならないため、その製作が難しく、また、それによる制作費用がかさむ問題点もあった。
【発明の概要】
【発明が解決しようとする課題】
【０００９】
本発明は、前記のような点を勘案して案出されたものであって、水槽が除去されて単純化された構造を具現することによって、より少ない量の用水（従来比１５〜２０％程度、およそ２Ｌ）で汚水（大便、小便を含む）を騒音なしに容易に排出することができ、下水量を減らして環境汚染を減少することができ、製造単価を大幅に減らして経済性を高めた、水槽がない超節水及び騒音低減型洋式便器を提供することにその目的がある。
【課題を解決するための手段】
【００１０】
前記のような目的を達成するための本発明による水槽がない超節水及び騒音低減型洋式便器は、
内部に溜水空間部が形成され、前記溜水空間部の上側内周囲に沿って洗浄流路が形成された便器本体；
前記便器本体の上側に回動可能に設置されたシート；
前記溜水空間部の下側に垂直方向に設置された排水構造体；
前記排水構造体の内部に配置されて、前記溜水空間部の下段側に垂直方向に疎通が可能に連結され、下段に排出口が形成された排水連結管；
前記排水連結管の排出口を開閉する栓を有する開閉ユニット；
前記シート側に設置されて洋式便器の使用状態を感知する感知部；
前記便器本体の上面一側に設置された汚水排出スイッチ；
前記溜水空間部の洗浄流路側に直接接続された洗浄給水管；
前記洗浄給水管の途中に設置されて、電子式開閉バルブで構成される給水バルブ；及び
前記感知部、汚水排出スイッチ、給水バルブ、開閉ユニットが電気的に接続される制御ユニット；を含むことを特徴とする。
【００１１】
前記感知部は、自動感知センサー又は手動スイッチの中いずれか１つを選択することを特徴とする。
【００１２】
前記開閉ユニットは、前記排水連結管の排出口を開閉する栓及び前記栓を駆動させるソレノイドを含み、
前記の栓は、ヒンジ部材を介して前記排水連結管の一側にピボット可能に設置されることと、
前記栓の一側にはヒンジ部材が固定されて、前記ヒンジ部材は、排水連結管の一側にヒンジピンによってピボット可能にヒンジ結合されることにより、前記栓とヒンジ部材は前記ヒンジピンを中心にピボット作動することを特徴とする。
【００１３】
前記ソレノイドは、栓の外側面とこれに隣接した排水構造体の内壁面の間に設置されて、栓を前記排水連結管の排出口側に偏向させるように偏向力を付与する偏向スプリング及び前記栓を、外側にピボット作動するように一側方向に押し出すことを特徴とする。
【００１４】
前記ソレノイドは、前記ヒンジ部材に隣接した排水連結管の一側に設置されて、前記ソレノイドは電源が印加されるに従って前／後進するプランジャーがヒンジ部材を外側に押し出すことで、ヒンジ部材及び栓を排水連結管の排出口から外側にピボット作動させるように構成されることを特徴とする。
【００１５】
前記偏向スプリングは、コイル部及びコイル部の両側で延長された一組のスプリング・レッグを有するねじりスプリングで構成されることを特徴とする。
【００１６】
前記排水構造体の一側には、固定軸が設置されて、前記コイル部は排水構造体の固定軸上にはめられて、一側のスプリング・レッグは、前記栓の外側面に支持され、他側スプリング・レッグは隣接した排水構造体の内壁面側に支持されることを特徴とする。
【００１７】
前記排水構造体の下段には、２次臭気逆流防止装置が設置され、前記２次臭気逆流防止装置によって、浄化槽で発生する臭い又は異物が流入することを互いに相殺することを特徴とする。
【発明の効果】
【００１８】
このような本発明は、未使用時には便器本体の溜水空間部に水が溜水されない状態を維持し、使用時のみ洗浄及び汚物の排出がなされる水槽がない構造を適用することにより、そのサイズをよりコンパクトにできるだけでなく、外観を消費者の好みに合わせてより多様にデザインすることができ、材料費の節減を通した経済的な効果を得ることができる長所がある。
【００１９】
また、本発明は、排水連結管及び排水構造体の垂直設置構造を通して、便器本体の溜水空間部から汚水を直水方向に排出することによって騒音又は逆流が確実に遮断されることができ、残留物が残らず、従来の洋式便器は１回使用時に８〜１２Ｌの用水が使用されるが、本発明は、従来に比べて１５〜２０％程度で、およそ２Ｌ未満で充分に処理することができ、前記水量減少に伴って下水量を減らすことで環境汚染を減少することができ、また、便器使用後に便器本体に溜水されず、冬期に凍結の憂慮がない長所がある。
【００２０】
そして、前記排水構造体の下段には２次臭気逆流防止装置が設置されて、前記２次臭気逆流防止装置によって浄化槽から発生する臭い又は異物が流入することを互いに相殺して快適な環境が提供されて、後の使用者に快適な環境が提供される非常に有用な効果がある。
【図面の簡単な説明】
【００２１】
【図１】本発明の一実施例に係る洋式便器を図示した断面図である。
【図２】図１の矢印Ａ部分を拡大して図示した拡大図であって、開閉ユニットの閉鎖作動によって排水連結管が閉鎖された状態を図示した図面である。
【図３】図２において排水連結管が開閉ユニットの開放作動によって開放された状態を図示した図面である。
【発明を実施するための形態】
【００２２】
以下、本発明の好適な実施例を、添付された図面を参照して詳細に説明する。
【００２３】
図１〜図３は、本発明の一実施例に係る水槽がない超節水及び騒音低減型洋式便器を図示した図面である。
【００２４】
図示された如く、本発明の一実施例に係る洋式便器は、水槽が除去された便器本体（１０）を含む。
【００２５】
便器本体（１０）の内部には、溜水空間部（１１）が曲面になった壁面（１１ａ）を通して区画、形成され、溜水空間部（１１）の上側内周囲に沿って洗浄流路（１２）が形成される。
【００２６】
特に、本発明は、便器本体（１０）には従来の洋式便器とは異なり、水槽が除去された構造に構成されることによって、洗浄流路（１２）側には洗浄給水管（１３）が直接接続される。洗浄給水管（１３）は、便器本体（１０）を貫通して設置され、洗浄給水管（１３）には外部給水管（１３ａ）が連結され、外部給水管（１３ａ）から用水が洗浄給水管（１３）を通して洗浄流路（１２）側に直接給水される。
【００２７】
便器本体（１０）の上面一側には汚水排出スイッチ（１８）が設置され、汚水排出スイッチ（１８）の作動によって大便又は小便が含有された汚水が排出されることができる。
【００２８】
洗浄給水管（１３）の途中には給水バルブ（１４）が設置され、給水バルブ（１４）は、ソレノイドバルブなどのような電子式開閉バルブで構成される。これにより、給水バルブ（１４）の開閉作動によって、洗浄給水管（１３）を通して用水が洗浄流路（１２）側に供給されることができる。
【００２９】
そして、洗浄流路（１２）には、複数の用水噴出口（１２ａ）が円周方向に形成され、用水噴出口（１２ａ）を通して用水が溜水空間部（１１）内に噴出して、溜水空間部（１１）を洗浄した後に一時的に溜まるか、汚水と共に排出されることができる。
【００３０】
便器本体（１０）の上側には、使用者が座ることができるシート（１６）が回動可能に設置されて、シート（１６）には、使用者が大便又は小便をするために使用することを感知し得る感知部（１５）が設置される。
【００３１】
一実施例によれば、感知部（１５）は、自動感知センサーとすることができ、このような自動感知センサーの感知部（１５）により、使用者が大便又は小便をするためシート（１６）の上に座ったり、男性の場合、小便するためにシート（１６）を上方向に回動させて垂直に立てる動作などのような洋式便器の使用状態を、自動感知センサーによって自動的に感知して作動できるように構成される。
【００３２】
代案的な実施例によれば、感知部（１５）は手動スイッチとすることができ、このような手動スイッチは、使用者が大便又は小便をする前に手動スイッチを直接操作することによって、洋式便器の使用状態を手動で操作するように構成することもできる。
【００３３】
便器本体（１０）の溜水空間部（１１）下側には排水構造体（２０）が垂直方向に配置され、図１〜図３では排水構造体（２０）がひょうたん形状のように曲面型構造に形成されることもあり、また排水構造体（２０）はその他さまざまな形状で形成することもできる。
【００３４】
特に、排水構造体（２０）は汚水の排出を円滑にするために、その下部に縮径部（２１）が形成された構造で構成することができる。
【００３５】
排水構造体（２０）の内部には排水連結管（２５）が配置されて、排水連結管（２５）は、溜水空間部（１１）の下段側に疎通できるように連結され、排水構造体（２０）の下段は浄化槽側に連結される。
【００３６】
排水連結管（２５）は、溜水空間部（１１）の下段側に垂直方向に疎通できるように連結されることにより、溜水空間部（１１）内の汚水を直水方向に排出させるように構成される。
【００３７】
排水連結管（２５）の下段には排出口（２５ａ）が形成され、排水連結管（２５）の排出口（２５ａ）に隣接して開閉ユニット（３０）が設置される。開閉ユニット（３０）は、排水連結管（２５）の排出口（２５ａ）を開閉する栓（３１）及び栓（３１）を駆動させるソレノイド（３５）を含む。一方、排水連結管（２５）の排出口（２５ａ）は斜線方向に傾斜した断面構造に構成され、これを通して開閉ユニット（３０）の栓（３１）による開閉作動がより迅速に行われることができるので、汚水の排出作動がより迅速且つ円滑に行われることができ、また開閉ユニット（３０）の設置、交替、修理などを非常に迅速且つ簡便にできるという長所がある。
【００３８】
栓（３１）は、ヒンジ部材（３２）を介して排水連結管（２５）の一側にピボット可能に設置される。栓（３１）の一側にはヒンジ部材（３２）が固定され、ヒンジ部材（３２）は、排水連結管（２５）の一側にヒンジピン（３２ａ）によってピボット可能にヒンジ結合され、これにより栓（３１）とヒンジ部材（３２）はヒンジピン（３２ａ）を中心にピボット作動する。
【００３９】
一実施例によれば、ソレノイド（３５）は、図２及び図３に図示されたように、栓（３１）の外側面とこれに隣接した排水構造体（２０）の内壁面の間に設置され、栓（３１）を排水連結管（２５）の排出口（２５ａ）側に偏向させるように偏向力を付与する偏向スプリング（３３）、及び栓（３１）を外側にピボット作動させるように前記栓（３１）を一側方向に押し出すソレノイド（３５）を含む。
【００４０】
偏向スプリング（３３）は、図２及び図３に図示されたように、コイル部（３３ａ）及びコイル部（３３ａ）の両側から延長された一組のスプリング・レッグ（３３ｂ、３３ｃ）を有したねじりスプリングで構成される。排水構造体（２０）の一側には固定軸（２４）が設置され、コイル部（３３ａ）は排水構造体（２０）の固定軸（２４）上に挟まれ、一側のスプリング・レッグ（３３ｂ）は栓（３１）の外側面に支持され、他側スプリング・レッグ（３３ｃ）は隣接した排水構造体（２０）の内壁面側に支持される。これとは異なり、偏向スプリング（３３）は、板スプリング又は圧縮スプリングなどのように、栓（３１）を排水連結管（２５）の排出口（２５ａ）側に偏向させるように偏向力を付与する様々な偏向部材から構成することができる。
【００４１】
これにより、偏向スプリング（３３）は、図２のように、洋式便器の未使用時に栓（３１）を排水連結管（２５）の排出口（２５ａ）側に偏向させることにより、洋式便器の未使用時には排水連結管（２５）の排出口（２５ａ）を常に閉鎖するように構成される。
【００４２】
そして、ヒンジ部材（３２）に隣接した排水連結管（２５）の一側には、ヒンジ部材（３２）をピボットさせるように作動するソレノイド（３５）が設置されて、図３のように、ソレノイド（３５）のプランジャー（３５ａ）がヒンジ部材（３２）を外側に押し出すことによって、ヒンジ部材（３２）及び栓（３１）が排水連結管（２５）の排出口（２５ａ）から外側にピボット作動して排水連結管（２５）の排出口（２５ａ）を開放することができる。
【００４３】
この時、偏向スプリング（３３）はソレノイド（３５）の駆動によって圧縮されて変形し、ソレノイド（３５）の作動が中止される場合、偏向スプリング（３３）は栓（３１）を原位置（閉鎖位置）に復帰させるように偏向力を付与する。
【００４４】
代案的な実施例によれば、ソレノイドはステップモーターなどのような電動モーターとすることができ、これらの電動モーターの駆動によりヒンジ部材（３２）及び栓（３１）がヒンジピン（３２ａ）を中心にピボット作動して、排水連結管（２５）の排出口（２５ａ）を開閉することができる。
【００４５】
このように、本発明は、排水構造体（２０）及び排水連結管（２５）が溜水空間部（１１）の下部に垂直方向に設置されることに伴い汚水を直水方向に排出させることによって溜水空間部（１１）から汚水の排出を非常に迅速且つ快適に行うことで、溜水空間部（１１）内に汚水が残留される可能性を最小化することができる。
【００４６】
便器本体（１０）の内部又は外部には制御ユニット（４０）が設置されて、制御ユニット（４０）には給水バルブ（１４）、感知部（１５）、汚水排出スイッチ（１８）、開閉ユニット（３０）のソレノイド（３５）又は電動モーター（未図示）は制御ユニット（４０）側に電気的に接続される。これにより制御ユニット（４０）は感知部（１５）を通して洋式便器の使用状態を感知し、これを通して用水供給を通した溜水空間部（１１）の洗浄作動を行った後に、汚水排出スイッチ（１８）の操作信号を通して、開閉ユニット（３０）の開放作動により汚水の排出動作を行うことができる。
【００４７】
以上のような本発明に係る洋式便器の作動関係を、次のように詳細に説明する。
【００４８】
洋式便器の未使用時には、排水連結管（２５）の排出口（２５ａ）が栓（３１）により閉鎖された状態を維持し、便器本体（１０）の溜水空間部（１１）側には用水が溜まらない乾燥状態を維持する。
【００４９】
そして、使用者が大便又は小便をするために洋式便器のシート（１６）に座ったり、シート（１６）を持ち上げる場合、感知部（１５）が自動的に洋式便器の使用状態を感知する。
【００５０】
このように感知部（１５）により洋式便器の使用状態が感知されると、制御ユニット（４０）は、給水バルブ（１４）を開放させて洗浄流路（１２）側に用水を約５〜１０秒間８００ｃｃほど供給し、これにより用水は、洗浄流路（１２）の用水噴出口（１２ａ）を通して溜水空間部（１１）を洗浄した後に溜水空間部（１１）内に一時溜まる。
【００５１】
その次に、洋式便器の使用を完了した後に大便又は小便が含有された汚水を排出しようとする場合、汚水排出スイッチ（１８）を操作する。汚水排出スイッチ（１８）の操作信号に従って制御ユニット（４０）が開閉ユニット（３０）のソレノイド（３５）又は駆動モーターを駆動させることにより、栓（３１）がヒンジ部材（３２）と共に排水連結管（２５）の排出口（２５ａ）の外側に回動し、排水連結管（２５）の排出口（２５ａ）から汚水が排出され、給水バルブ（１４）の開放により、洗浄流路（１２）の用水噴出口（１２ａ）を通して約８００ｃｃ程度の用水が、噴出されて溜水空間部（１１）を洗浄しながら排出される。排水連結管（２５）の排出口（２５ａ）から排出される汚水は、排水構造体（２０）の下側に連結された下水システムへ排出される。
【００５２】
このように汚水の排出が完了した後には、５〜１０秒後に開閉ユニット（３０）の栓（３１）が元位置に自動復帰して排水連結管（２５）の排出口（２５ａ）が閉鎖されることにより、臭い又は悪臭を確実に遮断することができ、溜水空間部（１１）内には用水がない乾燥状態になり、洋式便器を快適で衛生的に使用することができる。
【００５３】
溜水空間部の外側には溜水空間部のカバー（１１ａ）が設置されて、前記カバー下段に排水連結管（２５）を下部から取り付ける時に上段に掛止部（１１ｂ）が形成され、排水連結管（２５）を堅固に挟み込んで汚水と異物が掛止部（１１ｂ）と配水管の間に挟まれずにスムーズに流れることができるようにしたものである。
【００５４】
一方、便器本体（１０）の一側壁及び排水構造体（２０）の一側壁のそれぞれには、ドア（１０ａ、２０ａ）が個別的に開閉可能に設置されて、このようなドア（１０ａ、２０ａ）を通して、開閉ユニット（３０）及び排水構造体（２０）の交替ないし修理等を迅速且つ容易に行うことができる。
【００５５】
また、排水構造体（２０）の下段には、２次臭気逆流防止装置（未図示）を設置することができ、このような２次臭気逆流防止装置（未図示）により浄化槽又は下水溝から発生する臭い又は異物が流入することを互いに相殺することができる。
【００５６】
このような本発明は、未使用時には溜水空間部に水が溜まっていない状態を維持することで冬期の凍結を遮断することができ、使用時のみ洗浄及び汚物の排出が行われる水槽がない構造の便器本体（１０）で構成されることによって、便器のサイズをよりコンパクトにすることができるだけでなく、外観を消費者の好みに合わせてより多様にデザインすることができ、材料費の節減を通した経済的な効果を得ることができ、狭小な空間でも、空間にこだわらずに設置と使用がより快適で容易な長所がある。
【００５７】
また、本発明は、排水連結管（２５）及び排水構造体（２０）の垂直設置構造を通して、便器本体（１０）の溜水空間部（１１）から汚水を直水方向に排出することによって騒音又は逆流を確実に遮断することができ、残留物が残らず、従来の洋式便器は１回使用時に６〜８Ｌの用水が使用されるが、本発明は、従来に比べて１５〜２０％程度で、およそ２Ｌ未満で充分に処理することができ、また冬期の凍結に対する憂慮がない長所がある。
【００５８】
以上の説明は、１つの実施例を説明したものに過ぎず、本発明は上述の実施例に限定されず、添付された特許請求の範囲内で様々に変形可能なように実施することができる。例えば、本発明の実施例に具体的に示した各構成要素の形状及び構造は、多様に変形して実施することができるものである。
【図１】
2015505345.tif 000003
【図２】
2015505345.tif 000004
【図３】
2015505345.tif 000005
【国際調査報告】
2015505345.tif 000006
2015505345.tif 000007
2015505345.tif 000008
2015505345.tif 000009